(57)【要約】【課題】ゴルファーの利き腕でない方の腕の手にゴルフ用手袋を装着し、該手袋を使用してクラブを両手で握りさえすれば、必然的にクラブの正しい握り方が簡単に習得できるようにしたゴルフ用手袋を提供する。【解決手段】ゴルファーの利き腕でない方の腕の手に装着して使用されるゴルフ用手袋において、ゴルフ用手袋１の親指袋１ａに、他方の手の親指を挿入する親指袋４ａを固着すると共に、親指の挿入部５を手袋１の掌部１Ｂ側に開口させて構成した。【選択図】    図２
2005253557.tif 000002
【特許請求の範囲】
【請求項１】
ゴルファーの利き腕でない方の腕の手に装着して使用されるゴルフ用手袋において、上記手袋の親指袋には手袋を装着しない他方の手の親指袋が掌部側から甲部側に向けて交差状に固着され、該親指袋の親指挿入部は手袋の掌部側に開口されていることを特徴とするゴルフ用手袋。
【発明の詳細な説明】
【技術分野】
【０００１】
本発明はゴルフ用手袋に係り、詳しくは、ゴルファーの利き腕でない方の腕の手にゴルフ用手袋を装着し、該手袋を使用してクラブを両手で握れば、必然的にゴルフの上達に必要な正しいゴルフクラブの握り方が簡単に身に付き、誰でもゴルフを楽しむことができるゴルフ用手袋に関するものである。
【背景技術】
【０００２】
ゴルフは、アメリカでポピュラーなスポーツとなっており、日本においても、テレビで放映されるスポーツの中で野球と並んで人気のスポーツとなっている。
【０００３】
そして、スポーツとしてのゴルフは、一般に屋外のゴルフコース（通常は１８ホール）を使用して行われ、各々のコースでは、そのコースのスタート位置であるティーグランドから、グリーンの中心に据えたホールまでの打数を競い合う競技であるため、ゴルファーがボールを正しくヒットするためには、その基本としてクラブの正しい握り方を習得する必要がある。
【０００４】
ゴルフクラブの正しい握り方については、手袋を装着する手、すなわちゴルフクラブをリードする側の腕（右利きのゴルファーの場合には左腕、左利きのゴルファーの場合には右腕）の手の中指、薬指、小指の３本の指でクラブを強く、しっかりと握ると共に、手袋を装着しない他方の手の小指をクラブを握った人差し指の上部に置くか、人差し指と中指の間に置くようにして握る（オーバーラッピンググリップ）か、または上記他方の手の小指をクラブを握った人差し指と組むようにして握る（インターロッキンググリップ）とかすることにおり、初めてゴルフクラブを正しい軌道に沿うように安定してスィングすることができ、ボールを正しくヒットすることができるとされている。
【０００５】
そして、上記のようなオーバーラッピンググリップとか、インターロッキンググリップとかいわれているクラブの握り方は、ゴルフ技術の進歩の過程で、現在最高の握り方といわれている。したがって、この握り方を習得することは、ゴルフ上達への基本となることは改めて説明するまでもない。
【０００６】
ところが、従来のゴルフ用手袋には、クラブを握る際に中指袋、薬指袋、小指袋でクラブを強く、しっかりと握れるようにしたものが提案されているが、クラブの正しい握り方（オーバーラッピンググリップ、インターロッキンググリップ）が、手袋を使用するだけで初心者でも簡単に習得できるように創案されたゴルフ用手袋は全く皆無である。
【特許文献１】特開平９−２３４２６５
【特許文献２】特開２００２−１５９６１１
【０００７】
前者のものは、手袋をゴルファーの利き腕でない方の腕の手に装着した状態で、中指袋、薬指袋、小指袋の甲部側で、指の第２貫設部に相当する部分に開口部を設けることによって、屈伸を容易にしたものであり、後者のものは、中指袋、薬指袋、小指袋の間隔が離間しないように連続して形成することによって、クラブを強く握れるようにしたものであって、いずれもクラブの正しい握り方が習得できるようにしたものではない。
【発明の開示】
【発明が解決しようとする課題】
【０００８】
本発明は、上記のような実状に鑑み、全く新しい構想に基づいて創案されたものであって、その意図とするところは、ゴルファーがゴルフ用手袋を使用してクラブを握りさえすれば、必然的にオーバーラッピンググリップとか、インターロッキンググリップのような正しい握り方になるように手袋が構成されている点に特徴を有する。
【０００９】
ゴルフクラブをリードする側の腕、すなわち利き腕でない方の腕の手にゴルフ用手袋を装着してクラブを握れば、初心者でもクラブの正しい握り方が簡単に習得でき、誰でもゴルフを楽しむことができるゴルフ用手袋を提供することを課題とする。
【課題を解決するための手段】
【００１０】
上記課題を解決するため、本発明が採用した技術手段は、ゴルファーの利き腕でない方の腕の手に装着して使用されるゴルフ用手袋において、上記手袋の親指袋には手袋を装着しない他方の手の親指袋が掌部側から甲部側に向けて交差状に固着され、該親指袋の親指挿入部は手袋の掌部側に開口されていることを特徴とするものである。
【発明の効果】
【００１１】
したがって、本発明によれば、ゴルフクラブをリードする側の腕、すなわち利き腕でない方の腕の手にゴルフ用手袋を装着して、中指袋、薬指袋、小指袋でクラブを強く、しっかりと握った後、手袋側の親指袋に固着した他方の手の親指袋に親指を挿入すると、他方の手の小指が自然に手袋側の人差し指袋の上部または人差し指袋と中指袋の間に位置するようになり、オーバーラッピンググリップといわれる正しい握り方が得られる。
【００１２】
この場合、手の掌部が小さいゴルファーとか、指の短いゴルファーなどは、他方の手の小指と手袋側の人差し指袋とを組めば、インターロッキンググリップの握り方が容易に得られる。したがって、従来では正しいグリップを習得するのに多年の経験を必要としたが、本発明のゴルフ用手袋を使用すれば、正しいグリップの習得が簡単にできる。
【発明を実施するための最良の形態】
【００１３】
本発明を最良の実施の形態を添付図面に基づいて説明する。図１は本発明に係るゴルフ用手袋を甲部側から視た斜視図、図２は同上掌部側から視た斜視図、図３はゴルフクラブの正しい握り方（オーバーラッピンググリップ）を正面から見た斜視図、図４は同上平面から視た斜視図である。
【００１４】
図１および図２において、１はゴルフ用手袋であって、該手袋１は親指袋１ａ、人差し指袋１ｂ、中指袋１ｃ、薬指袋１ｄおよび小指袋１ｅを備え、装着者の手の甲部１Ａと掌部１Ｂの全体を覆うように、天然皮革、合成皮革、布帛などで構成されている。
【００１５】
上記ゴルフ用手袋１は、ゴルフクラブ２をリードする側の腕（右利きのゴルファーの場合には左腕、左利きのゴルファーの場合には右腕）の手、すなわち利き腕でない方の腕の手に装着して使用されるものであるが、本実施例では、右利きのゴルファーを想定して、手袋１を左腕３の手３Ａに装着して使用する場合について説明する。
【００１６】
すなわち、ゴルファーの左腕３の手３Ａに装着される手袋１の親指袋１ａには、その掌部１Ｂ側から甲部１Ａ側に向けて、当該ゴルファーの右腕４の手４Ａの親指を挿入する親指袋４ａが固着されていると共に、親指の挿入部５は手袋１の掌部１Ｂ側に開口させて構成されている。
【００１７】
本発明は叙上のように構成したので、クラブを握るに当たっては、先ず左手３Ａに手袋１を装着して、中指袋１ｃ、薬指袋１ｄおよび小指袋１ｅでクラブ２を強く、しっかりと握る。次いで、手袋１の親指袋１ａに固着した親指袋４ａに、右手４Ａの親指を手袋１の掌部１Ｂ側に開口した挿入部５から挿入すると、右手４Ａの小指４Ａａが自然に手袋１の人差し指袋１ｂの上部または人差し指袋１ｂと中指袋１ｃの間に位置するようになるので、オーバーラッピンググリップの握り方が簡単に得られることになる。そのうえ、上記小指４Ａａと手袋１の人差し指袋１ｂとを組めば、インナーロッキンググリップも簡単に得られることになる（図３および図４参照）。
【００１８】
したがって、本発明に係るゴルフ用手袋を使用すれば、初心者でもゴルフクラブの正しい握り方が簡単に習得でき、このため、クラブを軌道に沿うように安定してスイングすることができ、経験者と同様にコースでゴルフを楽しむことができる。
【産業上の利用可能性】
【００１９】
特になし。
【図面の簡単な説明】
【００２０】
【図１】ゴルフ用手袋を甲部側から視た斜視図
【図２】ゴルフ用手袋を掌部側から視た斜視図
【図３】ゴルフクラブの正しい握り方（オーバーラッピンググリップ）を正面から視た斜視図
【図４】ゴルフクラブの正しい握り方（オーバーラッピンググリップ）を平面から視た斜視図
【符号の説明】
【００２１】
１    ゴルフ用手袋
１Ａ  甲部
１Ｂ  掌部
１ａ  親指袋
１ｂ  人差し指袋
１ｃ  中指袋
１ｄ  薬指袋
１ｅ  小指袋
２    ゴルフクラブ
３    左腕
３Ａ  左手
４    右腕
４Ａ  右手
４ａ  親指袋
４Ａａ  小指
５    親指挿入部
【図１】
2005253557.tif 000003
【図２】
2005253557.tif 000004
【図３】
2005253557.tif 000005
【図４】
2005253557.tif 000006